(57)【要約】【課題】スクリーンの巻乱れを補正することができるとともに、スクリーンが円滑に昇降し、前後のスクリーンの間隔が大きくならないロールスクリーンを提供する。【解決手段】ウエイトバー２０は、スクリーンの折り返し部が巻き掛けられる回転パイプ３０と、回転パイプ３０の端部に係合するパイプキャップ３２と、回転パイプ３０の下方に配置されるウエイト本体３４と、ウエイト本体３４の端面に固定されると共にパイプキャップ３２を軸受けするサイドキャップ３６と、ウエイト本体３４内に設けられるとともにウエイト本体３４の下面から位置調整可能な調整ウエイト３８と、ウエイト本体３４の下面を覆うウエイトバーカバー４０と、を備える。パイプキャップ３２の一部の外周面が断面多角形状に形成され、回転パイプ３０の断面多角形状に形成された内周面に相対回転不能に嵌合している。ウエイトバーカバー４０は、ウエイト本体３４に着脱可能でウエイト本体３４下面からの調整ウエイト３８の露出を防止するとともに、ウエイトバー下面の緩衝材として機能する。【選択図】図６
2014173317.tif 000002
【特許請求の範囲】
【請求項１】
サイドブラケット（１４）に巻取パイプ（１６）が回転可能に支持され、スクリーン（１８）の一端部が巻取パイプに巻取り及び巻解き可能に連結され、スクリーンの他端部が巻取パイプから垂下してウエイトバー（２０）で折り返されて巻取パイプ付近に設けられる固定部材に連結されるロールスクリーンにおいて、
ウエイトバー（２０）は、スクリーンの折り返し部が巻き掛けられる回転パイプ（３０）と、回転パイプ（３０）の端部に係合するパイプキャップ（３２）と、回転パイプ（３０）の下方に配置されるウエイト本体（３４）と、ウエイト本体（３４）の端面に固定されると共にパイプキャップ（３２）を軸受けするサイドキャップ（３６）と、ウエイト本体（３４）内に設けられるとともにウエイト本体（３４）の下面から位置調整可能な調整ウエイト（３８）と、ウエイト本体（３４）の下面を覆うウエイトバーカバー（４０）と、を備え、
パイプキャップ（３２）の一部の外周面が断面多角形状に形成され、回転パイプ（３０）の断面多角形状に形成された内周面に相対回転不能に嵌合しており、
回転パイプの外周面には、その長手方向に延びる凹部（３０ａ）が形成され、内周面の断面多角形の各頂点（３０ｂ）が外周面に形成される凹部（３０ａ）から周方向にオフセットした位置にそれぞれ位置し、
ウエイトバーカバー（４０）は、ウエイト本体（３４）に着脱可能でウエイト本体（３４）下面からの調整ウエイト（３８）の露出を防止するとともに、ウエイトバー下面の緩衝材として機能し、サイドキャップ（３６）によって左右方向の移動が規制されることを特徴とするロールスクリーン。
【請求項２】
サイドキャップの底部（３６ｃ）にはウエイト本体の底部（３４ｂ）に形成される溝部（３４ｃ）に連続する切欠部（３６ｄ）が設けられており、ウエイトバーカバーは溝部と切欠部に渡って設けられ、ウエイトバーカバーの端部はサイドキャップ（３６）の側壁（３６ａ）によって移動が規制されることを特徴とする請求項１記載のロールスクリーン。
【請求項３】
回転パイプの外周面の凹部の数と、内周面の断面多角形の頂点の数が一致することを特徴とする請求項１又は２記載のロールスクリーン。
【発明の詳細な説明】
【技術分野】
【０００１】
本発明は、巻取パイプから垂下したスクリーンをウエイトバーで折り返して巻取パイプ付近に連結したロールスクリーンに関する。
【背景技術】
【０００２】
このような構成のロールスクリーンとしては、特許文献１に示されるものが知られている。これに示されるものは、天井又は壁面に取付けられる上方端部支持バーと、この支持バーの両端に対向して配置された一対の支持ブラケットと、これらの支持ブラケットに両端が枢支されて支持バーに沿う巻き取りロッドと、透光部及び不透光部が巻き取り方向に交互に連続して形成され一端が上方端部支持バーに固定され他端が巻き取りロッドに繰り出し可能に巻き取られかつ下端で折り返されて二重に構成されたスクリーンと、スクリーンの折り返し部に常に位置するように取付けられスクリーンに張力を付与する錘本体とを備えている。錘本体は、スクリーンの折り返し部の内面に接触してこの内面に対して転動可能に挿通された円筒状の動滑車と、動滑車の両端部の回転中心に動滑車に対してすべり軸受けを介して回動可能に挿入されたロア軸と、一端がロア軸の両端のキャップ取付穴に動滑車の端面を覆うように挿入されて取付けられ他端が自重で下方に延びる一対のロアキャップと、一対のロアキャップ間に渡設されスクリーンの折り返し部を覆うボトムカバーとを有するものである。
【先行技術文献】
【特許文献】
【０００３】
【特許文献１】特開２００９−７９４３１号公報
【発明の概要】
【発明が解決しようとする課題】
【０００４】
このような従来のロールスクリーンにおいては、スクリーンを二重にして昇降させるため、製品の高さに対して２倍程度の長さのスクリーンが必要となり、その量のスクリーンが巻き取りロッドに巻かれることになるとともに、スクリーンは透光部及び不透光部が交互に形成される構成であるため、通常のロールスクリーンと比べてスクリーンを昇降する際に巻乱れを起こしやすいという課題がある。
【０００５】
また、スクリーンを繰り出して錘本体が窓枠上面に接すると、錘本体がロア軸を中心として回動できるようになっているが、動滑車に対してすべり軸受けは圧入されているだけであるため、動滑車がロア軸を中心として回動するときにすべり軸受けがスリップしてしまう可能性があり、動滑車の円滑な回転に影響を与える恐れがある。
【０００６】
また、動滑車は円筒状であるため、ロールスクリーンの製品幅が大きいときに動滑車が撓まないように強度を保つためには、肉厚を厚くしなければならないため、動滑車の径が大きくならざるを得ない。その場合には、折り返された前後のスクリーンの間隔が大きくなってしまうため、前後の透過部と不透過部を重ねて遮蔽しようとしても光漏れ量が大きくなりやすいという問題がある。
【０００７】
本発明は、スクリーンの巻乱れを補正することができるとともに、スクリーンが円滑に昇降し、前後のスクリーンの間隔が大きくならないロールスクリーンを提供することをその目的とする。
【課題を解決するための手段】
【０００８】
前述した目的を達成するために、請求項１記載の発明は、サイドブラケットに巻取パイプが回転可能に支持され、スクリーンの一端部が巻取パイプに巻取り及び巻解き可能に連結され、スクリーンの他端部が巻取パイプから垂下してウエイトバーで折り返されて巻取パイプ付近に設けられる固定部材に連結されるロールスクリーンにおいて、
ウエイトバーは、スクリーンの折り返し部が巻き掛けられる回転パイプと、回転パイプの端部に係合するパイプキャップと、回転パイプの下方に配置されるウエイト本体と、ウエイト本体の端面に固定されると共にパイプキャップを軸受けするサイドキャップと、ウエイト本体内に設けられるとともにウエイト本体の下面から位置調整可能な調整ウエイトと、ウエイト本体の下面を覆うウエイトバーカバーと、を備え、
パイプキャップの一部の外周面が断面多角形状に形成され、回転パイプの断面多角形状に形成された内周面に相対回転不能に嵌合しており、
回転パイプの外周面には、その長手方向に延びる凹部が形成され、内周面の断面多角形の各頂点が外周面に形成される凹部から周方向にオフセットした位置にそれぞれ位置し、
ウエイトバーカバーは、ウエイト本体に着脱可能でウエイト本体下面からの調整ウエイトの露出を防止するとともに、ウエイトバー下面の緩衝材として機能し、サイドキャップによって左右方向の移動が規制されることを特徴とする。
【０００９】
請求項２記載の発明は、請求項１記載のものにおいて、サイドキャップの底部にはウエイト本体の底部に形成される溝部に連続する切欠部が設けられており、ウエイトバーカバーは溝部と切欠部に渡って設けられ、ウエイトバーカバーの端部はサイドキャップの側壁によって移動が規制されることを特徴とする。
【００１０】
請求項３記載の発明は、請求項１又は２記載のものにおいて、回転パイプの外周面の凹部の数と、内周面の断面多角形の頂点の数が一致することを特徴とする。
【発明の効果】
【００１１】
本発明によれば、ウエイトバー内に調整ウエイトを位置調整可能に設けたことによって、昇降時にスクリーンに巻乱れが生じてしまった場合には、調整ウエイトの位置をずらすことによって巻乱れを防止することができる。
【００１２】
調整ウエイトはウエイトバーの下面から位置を調整できるようになっており、その際にウエイトバーの下面から露出するが、調整後にウエイトバーカバーによって下面を覆うことにより調整ウエイトが露出することが防止され、意匠性を良好にすることができる。ウエイトバーカバーは緩衝材としても機能するため、ロールスクリーンを最下降位置まで下降したときにウエイトバーが窓枠等に当接しても、衝突音の発生を抑えることができる。
【００１３】
回転パイプは外周面に複数の凹部を有するため、回転パイプとしての強度が増すとともに昇降時において折り返されたスクリーンが回転パイプに対してスリップしにくくなるため、円滑な回転パイプの回転とスクリーンの昇降が可能となる。さらに、断面多角形状の外周面を有するパイプキャップの一部が断面多角形状の内周面を有する回転パイプの内周面に嵌合するため、確実に回転パイプとパイプキャップとが一体回転できるようになり、サイドキャップに対して回転パイプが円滑に回転することができる。
【００１４】
回転パイプの内周面の断面多角形の各頂点が外周面の凹部からオフセットされた位置にそれぞれ位置するため、回転パイプの肉厚が部分的に大きくなるようなことはなく、結果として回転パイプの強度を保ちつつ小さい径方向寸法で回転パイプの肉厚を周方向に均等化することができる。このため、前後のスクリーンの間隔を小さくすることができて、スクリーンを遮蔽状態にするときに光漏れ量を小さくすることができる。
【００１５】
回転パイプを支持するサイドキャップによってウエイトバーカバーの左右の位置決めを行うことができるため、部品点数を少なくすることができる。
【００１６】
サイドキャップの底部に、ウエイト本体の底部に形成される溝部に連続する切欠部が形成されるため、ウエイトカバーをウエイトバーの下面全長にわたって設けることができる。
【００１７】
さらに、回転パイプの内周面の断面多角形の頂点の数と外周面の凹部の数を一致させることにより、より一層、回転パイプの肉厚を周方向に均等化することができる。
【図面の簡単な説明】
【００１８】
【図１】本発明の実施形態に係るロールスクリーンの全体斜視図である。
【図２】実施形態に係るロールスクリーンの側断面図である。
【図３】実施形態に係るウエイトバーの部分断面図である。
【図４】図３のＡ−Ａ断面図である。
【図５】サイドキャップとウエイトバーカバーの組付け状態を示す斜視図であり、（ａ）は分解された状態を、（ｂ）は組み付けられた状態を、それぞれ示す。
【図６】ウエイトバーにスクリーンを組み付けた状態を示す部分断面図である。
【図７】ウエイトバー及びウエイトバー近傍のスクリーンの側断面図であり、（ａ）はスクリーンが遮蔽状態である場合を、（ｂ）はスクリーンが調光状態である場合を、それぞれ示す。
【図８】ウエイトバー及びウエイトバー近傍のスクリーンの斜視図であり、（ａ）はウエイト本体にウエイトバーカバーが取付けられている状態を、（ｂ）はウエイト本体からウエイトバーカバーが取外されている状態を、それぞれ示す。
【発明を実施するための形態】
【００１９】
以下、図面を用いて本発明の実施形態を説明する。
【００２０】
図１及び図２に示すように、実施形態に係るロールスクリーンは、図示していない窓枠や天井等にブラケット１１を介して固定されるセットフレーム１２の両端に設けられたサイドブラケット１４に巻取パイプ１６の両端が回転可能に支持されており、巻取パイプ１６にスクリーン１８の一端が巻取り及び巻解き可能に連結されている。スクリーン１８の他端は巻取パイプ１６から垂下するとともにウエイトバー２０で折り返されて上昇し、巻取パイプ１６よりも後方の上方においてセットフレーム１２に形成される固定部（固定部材）１２ａに固定されている。より詳細には、スクリーン１８の他端には固定板１９が連結されており、この固定板１９が固定部１２ａの内部空間１２ａ−１に挿入されることにより、スクリーン１８の他端が固定部１２ａに固定される。巻取パイプ１６から垂下したスクリーン１８はウエイトバー２０の前方側に位置し、ウエイトバー２０で折り返されたスクリーン１８はウエイトバー２０の後方側にそれぞれ位置しており、巻取パイプ１６から巻解かれたスクリーン１８は二重の状態になる。また、スクリーン１８は、ウエイトバー２０の自重によりその折り返し部が下方に引っ張られることにより展張状態を維持する。巻取パイプ１６の回転操作は、サイドブラケット１４の一端に設けられた操作チェーン２２を操作することにより行われ、また、操作チェーン２２の操作を停止すれば、公知のストッパにより巻取パイプ１６はその停止位置を維持可能となる。
【００２１】
スクリーン１８は、光をある程度透過する透過部１８ａと、透過部１８ａに比較して光の透過率が低い不透過部１８ｂとが上下方向に交互に連続して一定周期で形成される。好ましくは、透過部１８ａは透明または半透明の生地からなっており、不透過部１８ｂは遮光生地からなっている。また、好ましくは、透過部１８ａの高さ寸法は、不透過部１８ｂの高さ寸法以下、さらに好ましくは、不透過部１８ｂの高さ寸法よりも小さくなるように設定される。
【００２２】
図３ないし図５に示すように、ウエイトバー２０は、スクリーン１８の幅方向を長手方向として延びスクリーン１８が巻き掛けられる回転パイプ３０と、回転パイプ３０と一体回転するように回転パイプ３０の両端部にそれぞれ係合する一対のパイプキャップ３２と、回転パイプ３０と平行にその下方に配置されてスクリーン１８の幅方向を長手方向として延びるウエイト本体３４と、ウエイト本体３４の両端面にそれぞれ固定されると共に対応するパイプキャップ３２をそれぞれ軸受けする一対のサイドキャップ３６と、ウエイト本体３４内に設けられるとともにウエイト本体３４の下面から位置調整可能な調整ウエイト３８と、ウエイト本体３４の下面を覆うウエイトバーカバー４０と、からなる。
【００２３】
回転パイプ３０は、スクリーン１８の折り返し部の内側にあってスクリーン１８が巻き掛けられるようになっており、外周面が断面円形に、内周面は断面多角形、例えば断面六角形に形成されている。外周面には、その円周方向に等間隔に６つの凹部３０ａが長手方向全長にわたって形成されている。凹部３０ａによって巻取パイプ３０の強度を増すことができると共に、スクリーン１８とのスリップを軽減し、スクリーン１８の昇降と共に回転するようになっている。
【００２４】
好ましくは、外周面の凹部３０ａと内周面の頂点３０ｂは同じ数に設定されており、内周面の六角形の各頂点３０ｂの周方向位置は、外周面の隣り合う凹部３０ａ同士の中間位置になるように周方向にオフセットされている。これにより、回転パイプ３０は、部分的に肉厚が極端に大きくなるようなことがなく、肉厚が周方向で均等化され、且つ、内周面の断面多角形形状及び凹部３０ａにより強度が増加される結果として径方向の外形寸法を小さく且つ軽量化することができる。
【００２５】
パイプキャップ３２は、回転パイプ３０の端部に係合して回転パイプの端部を塞ぐようになっており、サイドキャップ３６に軸受けされる回転軸部３２ａと、回転パイプ３０の内周面に嵌合する嵌合軸部３２ｂと、回転軸部３２ａと嵌合軸部３２ｂとの間に位置する鍔部３２ｃと、からなる。回転軸部３２ａの外周形状は断面円形に形成されているのに対して、嵌合軸部３２ｂは、その外周形状が断面六角形に形成されており、図４に示すように、回転パイプ３０の内周面の断面六角形と合致しており、回転パイプ３０と一体に回転するように回転パイプ３０の内周面に嵌合される。鍔部３２ｃは、軸方向において回転軸部３２ａ側の径方向寸法が最も大きく、嵌合軸部３２ｂ側に行くに従って小さくなるように円錐面３２ｃ−１を形成している。鍔部３２ｃの回転軸部３２ａ側の端面３２ｄには回転軸部３２ａより若干外径側において回転軸部３２ａと同じ方向へと僅かに突出する肩部３２ｄ−１が形成されるのに対して、肩部３２ｄ−１より外径側の端面３２ｄは、回転軸部３２ａから離反するようにして、外径側に行くに従って嵌合軸部３２ｂ方向に傾斜して形成されている。端面３２ｄのこの形状により、パイプキャップ３２の端面３２ｄとサイドキャップ３６との接触面積が小さくなるため、パイプキャップ３２の回転時のサイドキャップ３６との摩擦を小さくすることができる。一方、鍔部３２ｃの嵌合軸部３２ｂ側端面には、図３に示すように、嵌合軸部３２ｂの外周囲に回転パイプ３０の端部が嵌合される挿入凹部３２ｅが形成されている。
【００２６】
ウエイト本体３４は、回転パイプ３０及びスクリーン１８よりも下方に配設されて、その天井部３４ａが回転パイプ３０に倣うように下方に突出した円弧状に形成されている。また、底部３４ｂには長手方向全長にわたって溝部３４ｃが形成されている。ウエイト本体３４内には、調整ウエイト３８の前後端部を下から支持するように、前後の内壁面３４ｇからそれぞれ突出する支持片３４ｄが長手方向全長にわたって形成されている。天井部３４ａの下側の前後方向中間位置には、長手方向全長にわたって略筒型をしたレール部３４ｅが形成されており、レール部３４ｅの両端部にはウエイト本体３４とサイドキャップ３６を連結する連結ネジ４２がねじ込まれるようになっている。
【００２７】
サイドキャップ３６は、ウエイト本体３４の端部を塞ぐと共にパイプキャップ３２の軸受けを行うべく側壁本体３６ａを有する。側壁本体３６ａの内部には、パイプキャップ３２の回転軸部３２ａを回転可能に軸受けする軸受け穴３６ｂと、ウエイト本体３４のレール部３４ｅと整列して前述の連結ネジ４２が挿通する挿通穴３６ｅとが形成される。また、側壁本体３６ａからウエイト本体側に突出して、ウエイト本体３４の内側形状に一部対応する形状を有する支持受部３６ｆと、を備えている。側壁本体３６ａの底部３６ｃには、ウエイト本体３４の溝部３４ｃに連続するように切欠部３６ｄが形成される。
【００２８】
調整ウエイト３８は、密度の高い金属板材等からなり、中央部に雌ねじ穴３８ａが穿設されており、雌ねじ穴３８ａには固定ネジ４４が螺合する。調整ウエイト３８は、ウエイト本体３４の支持片３４ｄ上に載置されて、支持片３４ｄに沿って移動可能である。溝部３４ｃを介してドライバ等により固定ネジ４４を雌ねじ穴３８ａ内にねじ込み、調整ウエイト３８の上面から突出する固定ネジ４４の先端４４ａをウエイト本体３４のレール部３４ｅに圧接させることで、調整ウエイト３８をウエイト本体３４に固定可能である。一方、固定ネジ４４を緩めると、固定ネジ４４の先端４４ａのレール部３４ｅへの圧接が解除され、調整ウエイト３８が支持片３４ｄに沿って移動可能な状態となる。
【００２９】
ウエイトバーカバー４０は、軟質樹脂などの柔らかく弾力がある素材で構成されており、ウエイト本体３４の下面のカバーとしてのみならず緩衝材としても機能する。ウエイトバーカバー４０は、ウエイト本体３４の溝部３４ｃを塞ぐことができる幅寸法を有する底部４０ａと、底部４０ａの前後両端部から前後方向に階段状に広がるように上方に突出し、ウエイト本体３４の底部３４ｂの内面に係合可能な係合部４０ｂと、を有する。ウエイトバーカバー４０は、ウエイト本体３４の溝部３４ｃ及び溝部３４ｃに連続するサイドキャップ３６の切欠部３６ｄの全長にわたる長さを有し、ウエイト本体３４及びサイドキャップ３６に着脱可能に設けられる。ウエイトバーカバー４０の両端部はサイドキャップ３６の側壁本体３６ａによって長手方向の移動が規制される。
【００３０】
上記各部品を組み立てることにより、ウエイトバー２０は構成されるが、具体的には、次のように行うことができる。回転パイプ３０の両端部に予めパイプキャップ３２の回転軸部３２ａをそれぞれ嵌合させておく。また、一方のサイドキャップ３６の軸受け穴３６ｂに一方のパイプキャップ３２の回転軸部３２ａを挿入するとともに、サイドキャップ３６の支持受部３６ｆをウエイト本体３４の一方の端部に嵌合し、サイドキャップ３６の挿通穴３６ｅに外部から連結ネジ４２を挿通し、ウエイト本体３４のレール部３４ｅに連結ネジ４２をねじ込み一方のサイドキャップ３６をウエイト本体３４の一端に固定する。
【００３１】
次に、ウエイト本体３４の他端から雌ネジ穴３８ａに予め固定ネジ４４を螺合させた調整ウエイト３８を挿入し、両支持片３４ｄの間から固定ネジ４４の頭部４４ｂが下方に突出するように調整ウエイト３８の前後端部を支持片３４ｄに支持させる。そして、他方のパイプキャップ３２の回転軸部３２ａを他方のサイドキャップ３６の軸受け穴３６ｂに挿入しながら、サイドキャップ３６の支持受部３６ｆをウエイト本体３４の他方の端部に嵌合し、前述のように、サイドキャップ３６とウエイト本体３４とを連結ネジ４２で固定する。次に、ウエイト本体３４の溝部３４ｃを介して調整ウエイト３８を支持片３４ｄ上で摺動させて位置を調整し、固定ネジ４４をねじ込み、その先端４４ａをレール部３４ｅに圧接させて調整ウエイト３８の移動を拘束し、調整ウエイト３８の位置を固定する。
【００３２】
最後に、図５に示すように、ウエイトバーカバー４０の係合部４０ｂを、弾性変形によりウエイト本体３４の底部３４ｂ及びサイドキャップ３６の底部３６ｃの内面にそれぞれ係合する。そして、図５（ｂ）に示すように、ウエイトバーカバー４０の端部の底部４０ａを切欠部３６ｄに位置させる。これにより、ウエイトバーカバー４０の前後方向への移動はウエイト本体３４の底部３４ｂとサイドキャップ３６の底部３６ｃによって規制されるとともに、左右方向への移動はサイドキャップ３６の側壁本体３６ａによって規制され、ウエイトバーカバー４０が移動することはない。こうして、ウエイトバーカバー４０によって、調整ウエイト３８が露出することなく、意匠性を良好にすることができる。
【００３３】
このように組み立てられたウエイトバー２０に、図６及び図７に示すようにスクリーン１８が取付けられる。すなわち、スクリーン１８は回転パイプ３０とウエイト本体３４との間を、回転パイプ３０の外周面に巻き掛けられて折り返されて前後方向において二重に構成される。
【００３４】
次に、本実施の形態の作用について説明する。
【００３５】
操作チェーン２２を操作して巻取パイプ１６を回転させて、巻取パイプ１６から垂下するスクリーン１８の長さを変化させて、図７（ａ）に示すように、前後のスクリーン１８のうち一方のスクリーンの透過部１８ａが他方のスクリーンの不透過部１８ｂに完全に重なり合うようにすると、スクリーン１８は遮蔽状態となる。なお、透過部１８ａの高さ寸法が不透過部１８ｂの高さ寸法よりも小さくなるように設定すると、一方側の不透過部１８ｂの端部が他方側の不透過部１８ｂの端部に重なり合うようになるため、前後のスクリーン１８の間から光が漏れることを防止することができ、遮蔽状態をより向上させることができる。また、回転パイプ３０の径方向の外形寸法を小さくすることができるため、前後のスクリーン１８の間隔を小さくすることができ、光漏れ量を小さくすることができる。
【００３６】
操作チェーン２２を操作して巻取パイプ１６を回転させて前後のスクリーン１８のうち一方のスクリーンの透過部１８ａが他方のスクリーンの透過部１８ａと重なり合うようにすると、スクリーン１８は調光状態となる。透過部１８ａ同士の重なり合う度合いを変化させることにより、調光状態を変化させることができる。
【００３７】
また、前後に垂下する操作チェーン２２のうちの一方を引き下げて、巻取パイプ１６にスクリーン１８を巻取っていくと、スクリーン１８が回転パイプ３０を折り返していき、スクリーン１８及びウエイトバー２０が上昇していく。反対に、前後に垂下する操作チェーン２２のうちの他方を引き下げて、巻取パイプ１６にスクリーン１８を巻解いていくと、スクリーン１８が回転パイプ３０を折り返していき、スクリーン１８及びウエイトバー２０が下降していく。ウエイトバー２０が最下降位置まで下降して、窓枠等に当接したときに、ウエイトバーカバー４０は緩衝材としての機能も有するため、ウエイトバーカバー４０により、衝突の衝撃や衝突音が緩和されることとなる。
【００３８】
回転パイプ３０の外周面の凹部３０ａにより、スクリーン１８は回転パイプ３０に対してスリップしにくくなっており、また、回転パイプ３０が小径化されて軽量化されているために、スクリーン１８の昇降と共に回転パイプ３０とパイプキャップ３２は、サイドキャップ３６に対して円滑に回転する。また、スクリーン１８が幅方向にずれて、その側端部が、パイプキャップ３２の鍔部３２ｃに乗り上げても、円錐面３２ｃ−１によって回転パイプ３０方向へ滑り落ち、元の位置に修正されるようになっており、巻取パイプ１６にスクリーン１８を巻取っていくときの巻乱れやスクリーン端部の折れ曲がりあるいはほつれの発生を防ぐようになっている。
【００３９】
それでも巻乱れが発生する場合には、調整ウエイト３８の位置を調整することができる。巻乱れの要因の一つは、巻取パイプ１６に巻き取られるスクリーン１８の幅方向のアンバランスにあるからである。よって、図８（ａ）に示すようにウエイト本体３４の下部に取付けられているウエイトバーカバー４０を弾性変形させて取外し、図８（ｂ）に示すように、ウエイト本体３４の溝部３４ｃを開放する。そして、固定ネジ４４を緩めて、調整ウエイト３８を支持片３４ｄ上で摺動させて位置を調整した後、再び固定ネジ４４をねじ込み、調整ウエイト３８の位置を固定する。最後に、ウエイトバーカバー４０を前述のように弾性変形させてウエイト本体３４の溝部３４ｃ及びサイドキャップの切欠部３６ｄに図８（ａ）に示すように取付ける。
【００４０】
このように調整ウエイト３８のスクリーン幅方向位置を微調整することによって、巻乱れの発生を防ぐことができる。
【符号の説明】
【００４１】
１４  サイドブラケット
１６  巻取パイプ
１８  スクリーン
２０  ウエイトバー
３０  回転パイプ
３０ａ  凹部
３０ｂ  頂点
３２  パイプキャップ
３４  ウエイト本体
３４ｂ  底部
３４ｃ  溝部
３６  サイドキャップ
３６ａ  側壁
３６ｃ  底部
３６ｄ  切欠部
３８  調整ウエイト
４０  ウエイトバーカバー
【図１】
2014173317.tif 000003
【図２】
2014173317.tif 000004
【図３】
2014173317.tif 000005
【図４】
2014173317.tif 000006
【図５】
2014173317.tif 000007
【図７】
2014173317.tif 000008
【図８】
2014173317.tif 000009
【図６】
2014173317.tif 000010